(57)【要約】【課題】  一般的な毒餌剤、飼料等の害虫が摂食しうる固形製剤の害虫に対する誘引効果及び摂食量を容易に、速効的に向上させることができ、さらには長期間放置しても黴の発生がない害虫の誘引、摂食向上方法を提供する。【解決手段】  害虫が摂食しうる固形製剤の使用時に、該固形製剤に所定量の液体、好ましくは酸性の液体を供給する害虫の誘引、摂食向上方法。【選択図】  なし【特許請求の範囲】
【請求項１】
害虫が摂食しうる固形製剤の使用時に、該固形製剤に所定量の液体を供給することを特徴とする害虫の誘引、摂食向上方法。
【請求項２】
液体が酸性から中性であることを特徴とする請求項１記載の害虫の誘引、摂食向上方法。
【請求項３】
野菜ペースト、果実ペーストまたは麦芽発酵エキスから選ばれた少なくとも１種を誘引剤として含有する液体を供給することを特徴とする請求項１または２記載の害虫の誘引、摂食向上方法。
【請求項４】
害虫が摂食しうる固形製剤の使用時に、該固形製剤に供給される液体であって、前記液体が酸性から中性であることを特徴とする固形製剤用注ぎ液。
【請求項５】
野菜ペースト、果実ペーストまたは麦芽発酵エキスから選ばれた少なくとも１種を誘引剤として含有することを特徴とする請求項４記載の固形製剤用注ぎ液。
【発明の詳細な説明】
【技術分野】
【０００１】
本発明は、害虫の誘引、摂食向上方法に関する。
【背景技術】
【０００２】
従来から防除対象害虫を誘引剤で誘引し、化学的、物理的に害虫を防除することが検討されており、その一部は実用化されている。例えば、ゴキブリ用毒餌剤、ゴキブリ用粘着トラップ等がよく知られている。このような誘引剤としては、米ぬか、蔗糖、蜜糖、魚粉、多糖類、澱粉等の食餌誘引剤が用いられている（例えば、非特許文献１参照）。
【０００３】
ところがこれらの食餌誘引剤だけでは誘引効果が十分とは言えず、さらに誘引効果を高めるための手段が検討されている。例えば、使用時に誘引剤に多量の水を注入して液状とし、水の注入により発酵してできる誘引物質により誘引効果を高めるようにした誘引殺虫器が知られている（例えば、特許文献１参照）。
【０００４】
しかし、特許文献１に記載された誘引殺虫器では、発酵によって誘引物質を発生させることから誘引剤が制限され、また発酵が直ちに起こることもないので速効的ではなく、さらに長期間放置すると黴が発生して不衛生になるなどの不都合がある。
【０００５】
【非特許文献１】田中生男、外１７名，「住環境の害虫獣対策」，（財）日本環境衛生センター，平成１２年１月２０日，ｐ．２７３−２７４，２７７
【特許文献１】特公平６−５５０９６号公報（第１−５頁）
【発明の開示】
【発明が解決しようとする課題】
【０００６】
本発明は、上記のような状況を鑑みてなされたものであり、一般的な毒餌剤、飼料等の害虫が摂食しうる固形製剤の害虫に対する誘引効果及び摂食量を容易に、速効的に向上させることができ、さらには長期間放置しても黴の発生がない害虫の誘引、摂食向上方法を提供することを目的とするものである。
【課題を解決するための手段】
【０００７】
本発明者らは、上記課題を解決するために鋭意検討した結果、毒餌剤、飼料等の使用時に所定量の液体を供給することが、害虫に対する誘引効果、摂食量を向上させるには有効であり、さらに前記液体を酸性とすることで、長期間放置しても黴の発生がないことを見出し本発明に至った。すなわち本発明は、以下の構成により達成されるものである。
（１）害虫が摂食しうる固形製剤の使用時に、該固形製剤に所定量の液体を供給することを特徴とする害虫の誘引、摂食向上方法。
（２）液体が酸性から中性であることを特徴とする上記（１）記載の害虫の誘引、摂食向上方法。
（３）野菜ペースト、果実ペーストまたは麦芽発酵エキスから選ばれた少なくとも１種を誘引剤として含有する液体を供給することを特徴とする上記（１）または（２）記載の害虫の誘引、摂食向上方法。
（４）害虫が摂食しうる固形製剤の使用時に、該固形製剤に供給される液体であって、前記液体が酸性から中性であることを特徴とする固形製剤用注ぎ液。
（５）野菜ペースト、果実ペーストまたは麦芽発酵エキスから選ばれた少なくとも１種を誘引剤として含有することを特徴とする上記（４）記載の固形製剤用注ぎ液。
【発明の効果】
【０００８】
本発明の害虫の誘引、摂食向上方法によって、一般的な毒餌剤、飼料等の害虫が摂食しうる固形製剤の害虫に対する誘引効果、摂食量を容易に、速効的に向上させることができる。さらには長期間放置しても黴の発生がない。
【発明を実施するための最良の形態】
【０００９】
本発明の害虫の誘引、摂食方法について具体例を挙げて以下に説明すると、固形毒餌剤等の固形製剤の使用時に、固形製剤のほぼ全体に所定量の水等の液体を注ぎかけ、所期の場所に設置すればよい。
【００１０】
本発明において、液体の供給とは、固形製剤が膨潤する程度の液量を供給することであり、固形製剤全量に対して１〜２００重量％、好ましくは２５〜１００重量％の液体を固形製剤の上方から注ぎかけるなどして達成される。具体的には、固形製剤約０．５〜４．５ｇに対して、液体を０．０５〜１．５ｍｌ、好ましくは０．１〜０．５ｍｌ供給するのがよい。尚、液体の供給量は、固形製剤の水分含量により所期の効果が達成されるように調整すればよく、前記の供給量は、日本薬局方記載の乾燥減量試験法において乾燥減量が約４０％以下（製剤２ｇ，減圧，１１０℃，５時間）となる固形製剤において好適な範囲である。このような液体の供給により、害虫の固形製剤に対する誘引効果及び摂食量が向上する。
【００１１】
液体を注ぐ場合、液体を収納した容器を固形製剤とセットにしたキットとすると使い勝手がよい。このような容器としては液体が収納でき、かつ放出できるようにしたボトル、パック等が挙げられ、さらには定量の液体を放出するための機構やノズルを設けたり、容器に目盛りを付けるなどしてもよい。また、パックなどには切取り線やミシン目を入れるなどすると便利である。
【００１２】
液体を供給する方法としては、前記のとおり注ぐことの他に、固形製剤に適量の液体を供給するための液体供給用の担体を用いることもできる。具体的には、紙や布等の吸液材質からなるシート状のものを固形製剤に接するようにセットし、傍らに置いた液体を収納した容器から必要量を供給してもよい。セットするに際しては、固形製剤を担体に載置する、担体を固形製剤の一部に巻く、などが挙げられる。担体の形状はシート状のものに限られず、棒状、紐状、皿状、ブロック状、芯状、短冊状、など液体を供給しうるものであればよい。
【００１３】
本発明において固形製剤としては、毒餌剤の他に、誘引剤、飼育飼料等であってもよい。
【００１４】
本発明の液体としては、水の他に、油性成分、水と油性成分との混合物からなるものであってもよく、さらに各種誘引剤を含有した液体とすることで誘引効果、摂食量を向上することができる。油性成分としては、コーン油、ごま油、サラダ油等の植物油や、豚油、牛油、魚油等の動物油、あるいはこれらの混合物等が好ましい。誘引剤としては、マルトース、ソルビトール、デキストリン、キシリトール、グラニュー糖等の糖類、牛油、魚油、卵黄油等の動物油、ビーフエキス、オニオンエキス、魚介エキス、オイスターエキス、チキンエキス等のエキス類、モルトエキス等の麦芽発酵エキス、ビール、ビール酵母、ジャガイモペースト、タマネギペースト、ニンジンペースト、トマトペースト、オニオンペースト等の野菜ペースト、リンゴペースト、オレンジペースト、バナナペースト等の果実ペースト、黒ごま、いりごま等の種実類等が好ましい。これらは１種又は２種以上を組み合わせて用いることができる。中でも、野菜ペースト、果実ペースト、麦芽発酵エキスは大きな効果が得られる。この他にも、各種の肉ペーストや魚介ペースト等を用いることができる。
【００１５】
さらに液体はクエン酸、リン酸、ホウ酸、乳酸、これらの塩等の緩衝剤を用いてそのｐＨを酸性から中性、好ましくはｐＨを約２〜７に調整して用いることで長期間放置しても黴の発生がない。中でもホウ酸等の防黴効果を有する緩衝剤を用いるとより効果的である。
【００１６】
本発明の液体は、キサンタンガム、ジェランガム、グアーガム、カラギーナン、ローカストビーンガム、タラガム、クマリンドシードガム、ファーセレラン、カルボキシメチルセルロース、デンプン等の増粘剤を用いて粘性を付与することができ、それによって固形製剤への付着をよくすることができる。増粘剤は液体全量に対して０．１〜１０重量％となるように含有すればよい。
【００１７】
この他にも液体には必要に応じて、天然ピレトリン、プラレトリン、イミプロトリン、フタルスリン、アレスリン、トランスフルトリン、レスメトリン、フェノトリン、シフェノトリン、ｄ，ｄ−Ｔ９９−シフェノトリン、ペルメトリン、サイパーメスリン、エトフェンプロックス、シフルスリン、デルタメスリン、ビフェントリン、フェンバレレート、フェンプロパスリン、シラフルオフェン、メトフルスリン、プロフルスリン、Ｓ−１８６４（住友化学工業社製）等のピレスロイド系化合物；ジクロルボス等の有機リン系化合物；プロポクスル等のカーバメート系化合物；メトキサジアゾン等のオキサジアゾール系化合物；アミドフルメット等のスルホンアミド系化合物；ジノテフラン、クロチアニジン、ニテンピラム、アセタミプリド、イミダクロプリド等のニコチノイド系化合物；フィプロニル等のピラゾール系化合物；メントール、ベンジルアルコール等の殺虫性精油；ホウ酸、ホウ砂等のホウ素系化合物；インドキサカルブ、クロルフェナピル、エマメクチン、チアメトキサム、ピメトロジン、イソプロピルメチルフェノール等の殺虫剤；安息香酸デナトニウム、パラヒドロキシ安息香酸エステル、ホウ酸、ソルビタン酸カリウム、安息香酸ナトリウム等の防黴・防腐剤；ＢＨＴ、BHＡ等の酸化防止剤；ベンゾトリアゾール系化合物、トリアジン系化合物等の紫外線吸収剤；トウガラシエキス、アセチル化蔗糖、安息香酸デナトニウム、カプサイシン等の誤食防止剤；黄色４号、カラメル色素等の着色剤；カーボンブラック、チタン等の顔料；スルビタン酸カリウム、安息香酸ナトリウム等の防腐剤等を含有してもよい。
【００１８】
本発明の液体全量に対して、殺虫剤は約０．０１〜９０重量％、酸化防止剤は約０．０１〜１重量％、紫外線吸収剤は約０．０１〜１重量％、誤食防止剤は約０．０１〜１重量％となるように含有すればよい。
【００１９】
本発明の害虫の誘引、摂食向上方法は、各種害虫に対して適用することができるが、特にチャバネゴキブリ、クロゴキブリ等のゴキブリ類に対して誘引効果、摂食量を速効的に向上させることができる。具体的には、６０分以内に固形製剤そのものの摂食量と比べて、相対的に摂食量が増加する。
【００２０】
以下に好ましい液体を例示するが、本発明はこれらに限られるものではない。
（液体１）
麦芽発酵エキス              ５０．００重量％
粉糖                        １０．００重量％
還元デキストリン            ２０．００重量％
キサンタンガム                ０．３０重量％
ホウ酸                        ２．００重量％
安息香酸デナトニウム          ０．０１重量％
水                            残部
合計                      １００．００重量％
（液体２）
オニオンエキス              ５０．００重量％
液糖                        ２０．００重量％
粉糖                        １０．００重量％
キサンタンガム                ０．１０重量％
ホウ酸                        ２．００重量％
安息香酸デナトニウム          ０．０１重量％
水                            残部
合計                      １００．００重量％
（液体３）
ビール酵母                  ２５．００重量％
液糖                        ２０．００重量％
粉糖                        １０．００重量％
還元デキストリン            ２５．００重量％
キサンタンガム                ０．１０重量％
ホウ酸                        ２．００重量％
安息香酸デナトニウム          ０．０１重量％
水                            残部
合計                      １００．００重量％
（液体４）
麦芽発酵エキス              ２５．００重量％
マルトース                  ２５．００重量％
粉糖                        １０．００重量％
還元デキストリン            ２０．００重量％
アラビアガム                  ０．１０重量％
水                            残部
合計                      １００．００重量％
（液体５）
マルトース                  ２５．００重量％
粉糖                        ２０．００重量％
液糖                        ３５．００重量％
キサンタンガム                ０．１０重量％
デンプン                      ３．００重量％
水                            残部
合計                      １００．００重量％
（液体６）
野菜ペースト                ３０．００重量％
（オニオンペースト：ジャガ
イモペースト＝１：２）            
麦芽発酵エキス              ２０．００重量％
グラニュー頭                １２．００重量％
サラダ油                      １．５０重量％
ソルビタン酸カリウム          ０．１０重量％
トウガラシエッセンス          ０．５０重量％
カラメル色素                  １．００重量％
水                            残部
合計                      １００．００重量部
【実施例】
【００２１】
以下に実施例によって本発明をさらに詳しく説明するが、本発明はこれらに限定されるものではない。
(試験例１）
直径１ｍの円形バット内にチャバネゴキブリ１５０頭（成虫５０頭、幼虫１００頭）を入れて４８時間馴化させた。この際に飼料と水を入れて餓死しないようにした。そして前記バット内から飼料と水を取り除き、表１記載の試験製剤の各１個を粘着剤（９ｃｍ×６ｃｍ）の中央に置きトラップとした。さらに前記トラップを４つ同時に前記バット内に置き、２４時間後の各トラップに捕獲されたチャバネゴキブリの数を計数して誘引効果を比較した。試験は２回繰り返して行い、その合計数を表１に併せて記載した。市販の毒餌剤は、アースゴキブリホウ酸ダンゴコンクゴキンジャム２ｇ（アース製薬社製）を用いた。  なお試験に用いた水はｐＨ約７．６である。
【００２２】
【表１】
2004315508.tif 000002
【００２３】
表１に記載したとおり、本発明の方法を適用した試験製剤１ではチャバネゴキブリに対して誘引効果が明らかに向上した。
【００２４】
（試験例２）
試験用バット（３９ｃｍ×２９ｃｍ、高さ１８ｃｍ）にチャバネゴキブリ１００頭、水、シェルターを入れ、２４時間馴化させた。そして表２記載の試験製剤を並置し、２４時間後の摂食量（ｍｇ）を測定した。試験は２回繰り返して行い、その平均値を表２に記載した。市販の毒餌剤は、アースゴキブリホウ酸ダンゴコンクゴキンジャム２ｇ（アース製薬社製）を用いた。なお試験に用いた水はｐＨ約７．６、モルトエキス２５％水溶液はｐＨ約４．６である。
【００２５】
【表２】
2004315508.tif 000003
【００２６】
表２に記載したとおり、本発明の方法を適用した試験製剤５、６ではチャバネゴキブリに対して誘引効果が高められて毒餌剤の摂食量も向上した。
【００２７】
（試験例３）
試験用バット（３９ｃｍ×２９ｃｍ、高さ１８ｃｍ）にチャバネゴキブリ成虫５０頭、水、シェルターを入れ、２４時間馴化させた。そして、固形飼料（オリエンタル酵母社製）約２〜３ｇに上記液体６を約０．１ｇ（０．０９ｍｌ相当）／個滴下してふやかした状態としたものと、固形飼料そのものとを併置し、１分、３分、５分、１０分、１５分、２０分、３０分経過後の誘引累積数を計数した。試験は５回繰り返して行い、誘引累積数はその合計である。結果を表３に示す。
【００２８】
（試験例４）
試験例３と同様の試験を、クロゴキブリ成虫３０頭を用いて行った。結果を表３に示す。
【００２９】
【表３】
2004315508.tif 000004
【００３０】
表３に記載したとおり、本発明の方法を適用することにより、累積誘引数が約１．５〜２倍に増加しており、誘引効果が高まることがわかる。